(57)【要約】本発明は、開口部（３）を有し、前記開口部（３）上に配置されるカバー（４）からなるカップタイプの容器（２）からなる容器（１）に関する。前記カバー（４）は、内側の構成要素（５）および着脱可能に前記内側の構成要素（５）に連結される外側の構成要素（６）を有し、前記内側の構成要素（５）および前記内側の構成要素（５）に連結される前記外側の構成要素（６）間において、１つの物体（８）またはそれ以上の物体（８）を受容するために空洞（７）が形成され、前記空洞（７）は、互いに並列の２つの主表面（９、１０）からなる。この容器は、前記空洞（７）の前記２つの主表面（９、１０）は、前記開口部（３）によって形成される開口面（１１）に対し０°＜α＜９０°であることを特徴とする。
2007508212.tif 000002
【特許請求の範囲】
【請求項１】
開口部（３）を有し、前記開口部（３）に配置されるカバー（４）を備えたカップタイプの仕切り部（２）からなる容器（１）であって、前記カバー（４）は、内側の構成要素（５）および前記内側の構成要素（５）に着脱可能に連結される外側の構成要素（６）を有し、前記内側の構成要素（５）およびその内側の構成要素（５）に連結する前記外側の構成要素（６）間に１つの物体（８）またはそれ以上の物体（８）を受容するために形成された空洞（７）を有し、前記空洞（７）は互いに並列の２つの主表面（９、１０）からなる容器であり、前記空洞（７）の前記２つの主表面（９、１０）が前記開口部（３）によって形成される開口面（１１）に対し、０°＜α＜９０°であることを特徴とする容器。
【請求項２】
請求項１に記載の容器（１）であって、３°＜α＜７０°、好ましくは１０°＜α＜５０°、最も好ましくは、１０°＜α＜３０°が適用され、しかしながら、上記の制限は任意の方法で互いに結合されることを特徴とする容器。
【請求項３】
請求項１または請求項２に記載の容器（１）であって、前記容器（１）は飲料容器であることを特徴とする容器。
【請求項４】
請求項１から請求項３に記載の容器（１）であって、前記開口部（３）は、円形の横断面を有することを特徴とする容器。
【請求項５】
請求項１から請求項４の１つに記載の容器（１）であって、前記空洞（７）は円柱状であり、前記空洞（７）の前記主表面（９、１０）は円柱状の前表面であることを特徴とする容器。
【請求項６】
請求項４または請求項５に記載の容器（１）であって、前記カバー（４）が上部に配置される場合、前記開口部（３）の軸Ａおよび前記空洞（７）の軸Ｂは、Ｘ＝１ｍｍから２０ｍｍ、特に３ｍｍから１０ｍｍで互いに関連して放射状にオフセットされ、互いに関連して角度αで存在することを特徴とする容器。
【請求項７】
請求項１から請求項５の１つに記載の容器（１）であって、前記内側の構成要素（５）および外側の構成要素（６）は、前記カバー（４）を備えた前記仕切り部（２）に飲用のストロー（１４）を導入するための整列配置された飲用ストロー開口部（１２、１３）を各々備え、前記飲用ストロー開口部（１２、１３）は、空洞の外側で配置されることを特徴とする容器。
【請求項８】
請求項１から請求項７の１つに記載の容器（１）であって、ディスクタイプの物体（８）、特に円形または形づくられたＣＤ、好ましくはミニＣＤが前記空洞（７）に挿入されることを特徴とする容器。
【請求項９】
請求項８に記載の容器（１）であって、前記ディスクタイプの物体（８）の外径は、前記空洞（７）の内径と同一であるか、またはそれより０．０１ｍｍから５ｍｍ小さいことを特徴とする容器。
【請求項１０】
請求項１から請求項９の１つに記載の容器（１）のためのカバーであって、前記カバー（４）は、内側の構成要素（５）および着脱可能に前記内側の構成要素（５）に連結される外側の構成要素（６）を有し、前記内側の構成要素（５）と内側の構成要素（５）に連結される前記外側の構成要素（６）との間に、１つの物体（８）またはそれ以上の物体（８）を受容するために形成される空洞（７）を有し、前記空洞（７）は、互いに並列の２つの主平面（９、１０）からなり、そこにおいて、前記空洞（７）の２つの主平面（９、１０）は、閉鎖面（１１）に対して０°＜α＜９０°であることを特徴とする容器。
【請求項１１】
開口部（３）を有し、前記開口部（３）に配置されるカバー（４）を備えたカップタイプの仕切り部（２）からなる容器（１）であって、前記カバー（４）は、内側の構成要素（５）および前記内側の構成要素（５）に着脱可能に連結される外側の構成要素（６）を有し、前記内側の構成要素（５）およびその内側の構成要素（５）に連結する前記外側の構成要素（６）間に１つの物体（８）またはそれ以上の物体（８）を受容するために形成された空洞（７）を有し、ここにおいて、前記内側の構成要素（５）または前記外側の構成要素（６）は、好ましくは本質的にディスク型のまたは平面の物体（８）のための支持面（１０ａ）からなる容器であり、前記支持面（１０ａ）が前記開口部（３）によって形成される開口面（１１）に対し、０°＜α＜９０°であることを特徴とする容器（１）。
【請求項１２】
請求項１１に記載の容器（１）であって、３°＜α＜７０°、好ましくは１０°＜α＜５０°、最も好ましくは、１０°＜α＜３０°が適用され、しかしながら、上記の制限は任意の方法で互いに結合されることを特徴とする容器。
【請求項１３】
請求項１１または請求項１２に記載の容器（１）であって、前記容器（１）は飲料容器であることを特徴とする容器。
【請求項１４】
請求項１１から請求項１３の１つに記載の容器（１）であって、前記開口部（３）は、円形の横断面を有し、および／または、前記空洞（７）は、前記開口部（３）に並列の横断面に関して本質的に円形の横断面を有することを特徴とする容器。
【請求項１５】
請求項１１から請求項１４の１つに記載の容器（１）であって、前記支持面（１０ａ）が前記物体（３）の領域の少なくとも１０％、好ましくは少なくとも３０％、より好ましくは少なくとも５０％、特に少なくとも７０％を支持するように形成され、および／または、その支持面（１０ａ）は本質的に平面であることを特徴とする容器。
【請求項１６】
請求項１４または請求項１５に記載の容器（１）であって、前記カバー（４）が上部に配置される場合、前記開口部（３）の軸Ａおよび前記空洞（７）の軸Ｂは、Ｘ＝１ｍｍから２０ｍｍ、特に３ｍｍから１０ｍｍで互いに関連して放射状にオフセットされ、互いに関連して角度αであることを特徴とする容器。
【請求項１７】
請求項１１から請求項１６の１つに記載の容器（１）であって、前記内側の構成要素（５）および外側の構成要素（６）は、前記カバー（４）を備えた前記仕切り部（２）に飲用のストロー（１４）を導入するための整列配置された飲用ストロー開口部（１２、１３）を各々備え、前記飲用ストロー開口部（１２、１３）は、空洞の外側に配置されることを特徴とする容器。
【請求項１８】
請求項１１から請求項１７の１つに記載の容器（１）であって、ディスクタイプの物体（８）、特に円形または形づくられたＣＤ、好ましくはミニＣＤが前記空洞（７）に挿入されることを特徴とする容器。
【請求項１９】
請求項１８に記載の容器（１）であって、前記ディスクタイプの物体（８）の外径は、前記空洞（７）の内径と同一である、またはそれより０．０１ｍｍから５ｍｍ小さいことを特徴とする容器。
【請求項２０】
請求項１８または請求項１９に記載の容器（１）であって、前記ディスクタイプの物体（８）は中央の孔（１５）からなり、ここにおいて、前記支持面（１０ａ）は前記ディスクタイプの物体（８）を置くか、またはくっつけるための本質的に円柱状の台（１６）からなることを特徴とする容器。
【請求項２１】
請求項２０に記載の容器（１）であって、前記台（１６）の前記軸Ｂは、前記開口部（３）の前記軸Ａに並列であるか、または前記軸Ａに角度αであることを特徴とする容器。
【請求項２２】
請求項１１から請求項２１の１つに記載の容器（１）であって、前記内側の構成要素（５）の前記飲用ストロー開口部（１３）は、前記仕切り部（２）部分に及ぶ前記内側の構成要素（５）の凹部（１７）に位置することを特徴とする容器。
【請求項２３】
請求項１１から請求項２２の１つに記載の容器（１）であって、前記外側の構成要素（６）は、前記飲用ストロー開口部（１３）より上に位置し本質的に前記軸Ａに平行にひろがる凹部領域（１８）からなることを特徴とする容器。
【請求項２４】
請求項１１から請求項２３の１つに記載の容器（１）であって、前記カバー（４）は、内側の構成要素（５）および前記内側の構成要素（５）に着脱可能に連結される外側の構成要素（６）を有し、前記内側の構成要素（５）およびその内側の構成要素（５）に連結する前記外側の構成要素（６）間に１つの物体（８）またはそれ以上の物体（８）を受容するために形成された空洞（７）を有し、ここにおいて、前記内側の構成要素（５）および／または前記外側の構成要素（６）は、前記物体（８）のための支持面（１０ａ）からなり、前記支持面（１０ａ）は開口面（１１）に対し、０°＜α＜９０°であることを特徴とする容器。
【発明の詳細な説明】
【技術分野】
【０００１】
本発明は、開口部を有し、この開口部に配置されるカバーからなるカップタイプの仕切り部を備えた容器に関する。カバーは内側の構成要素および着脱可能に内側の構成要素に連結される外側の構成要素を有し、内側の構成要素と内側の構成要素に連結される外側の構成要素との間に１つまたはそれ以上の物体を受容するための空洞が形成され、この空洞は、互いに並列の２つの主表面からなる。本発明は、さらにこのような容器のためのカバーに関する。
【背景技術】
【０００２】
特にいわゆるファーストフード領域において、使い捨ての容器が飲料を販売するために使われる。消費者が飲料を入れた容器を持ち運ぶので、このような容器は通常カバーを有する。このことにより、飲料の流出は本質的に避けられる。特に冷たい飲物の場合、カバーは飲用ストローを導入する開口部をさらに有する。したがって、消費者はカバーを除去せずに飲料を吸い上げることができる。
【０００３】
多くの領域、たとえばまたファーストフード供給の領域において、いわゆる付加価値は望ましい。容器の場合、更なる購買意欲を生み出すための物体の追加を含む。このため、このような物体は容器に適切な方法で連結されなければならず、またはその中に一体化されなければならない。
【０００４】
前述のタイプの容器は、米国特許Ｎｏ．６，０７０，７５２からの技術において公知である。従来技術処置は、容器の軸と同軸の空洞がカバーに配置され、ＣＤが前記空洞に配置されるようにそれを提供する。さらに、開口部はカバーにおいて提供され、この開口部は飲用ストローを導入する意図を有し、ＣＤの中央の孔と整列している。従来技術容器の問題は、特に内側の構成要素の開口部の領域において、空洞に飲料が入るのを妨げるために封止処置が提供されなければならないことである。残りの飲料で汚染されたＣＤは、通常もう読み込まれることができない。このような封止処置は、高価で製造に費用がかかり、または、空洞に飲料が入るのを妨げるだけ十分に密閉されていない。
【０００５】
米国特許Ｎｏ．４，０７４，８２７には、従来技術において公知である物体を受容するためのカバーにおける空洞、しかしながら空洞の外側で提供される飲用ストローのための開口部を備えた飲料の容器が記載される。このことにより、空洞は十分に密閉されて製造することが可能である。ここにおいて、一方では飲用カップのサイズによって、もう一方ではＣＤのサイズによって生じる幾何学的状況のために、通常のサイズのＣＤが空洞に適合しないのは不都合である。従来技術の容器において、それぞれの空洞の主表面は、カップタイプの容器の開口面に、本質的に並列であることは一般的である。
【発明の開示】
【０００６】
物体が収容され、飛び散る飲料から安全に保護することが可能なカバーにおいて容器、特に飲用の容器を特定することは、技術的な本発明の目的であり、前記物体は、容器の開口部と比較して相対的に大きい空間を有することが可能である。
【０００７】
上記の技術的な目的を達成するため、本発明は、空洞の２つの主表面が開口部によって形成される開口面に対して０°＜α＜９０°であることを教示する。主表面は、空洞の他の表面と比較すると相対的に大きい表面である。
【０００８】
本発明は、例えば飲用のストローのための開口部は、主表面が傾けられる場合、空洞の外側でも、収容するのに比較的大きい物体のために配置されることができ、したがって、係数１／ｃｏｓ（α）によって開口部の横断面より基本的に大きい表面は、開口部と同様に空洞を収容するために利用できるという発見に基づく。
【０００９】
好ましくは、１０°＜α＜５０°、より好ましくは１０°＜α＜３０°である。特に、最後に言及された範囲は、いわゆるミニＣＤを従来の飲用容器の大きさに提供するのに十分であり、それでもなお空洞の外側に配置された開口部のための十分な空間を有する。
【００１０】
上記の幾何学的相関が容器の形状、容器の開口部の形状、１つ又は複数の物体の形状および大きさにかかわりなく原則として適用される。飲用の容器の場合、開口部はしかしながら通常円形である。空洞は、特に物体としてＣＤを使用する場合、本質的に円柱状であり、空洞の主表面は円柱状の前面部である。
【００１１】
詳細には、カバーが上部につけられた場合、開口部の軸および空洞の軸は、Ｘ＝１ｍｍから２０ｍｍ、特に３ｍｍから１０ｍｍで互いに関連して放射状にオフセットされ、互いに関連して角度αであるのが好ましい。これは特に、内側の構成要素および外側の構成要素は各々飲用ストローをカバーを備えた仕切り部に導入するための整列配置された飲用ストロー開口部からなるように提供することができ、飲用ストロー開口部は空洞の外側に配置される。飲用ストロー開口部は例えば、容器の開口部から最も離れた容器の軸方向におけるカバーの部分に配置される。このことにより、飲料のきわめて強い飛び散りの確率はとても低いので、導入された飲用のストローに対して飲用ストロー開口部を封止するための処置は特に単純な方法で達成されることができる。しかしながらまた、飲用ストロー開口部が開口部に最も近い仕切り部の軸方向におけるカバーの部分に配置されることも考えられる。
【００１２】
原則として、空洞において配置されるディスク‐タイプの物体は、任意のものであってよい。‘ディスク‐タイプの物体’という用語は、その対向する主表面が、他の表面の少なくとも１０倍である物体である。好ましくは、ディスク‐タイプの物体は、例えばディスク、ＣＤ、ＤＶＤなどのデータキャリアであり、特に円形または形づくられたＣＤである。円形ＣＤと比較して、形づくられたＣＤは、円形の外周を有しない。例えば、円の２つの対向する部分は、切り落とされる可能性がある。好ましくは、ディスク‐タイプの物体の外径は、空洞の内径と同一である、またはそれより１ｍｍから５ｍｍ小さい。ディスク‐タイプの物体は、小冊子、チケット等であってもよい。‘ディスク状の’という用語は、形状が円形であることを必ずしも意味するわけではない。例えば、矩形または正方形の形状も考えられる。
【００１３】
本発明の主題はさらに本発明による容器のためのカバーであり、ここにおいて、カバーは、内側の構成要素および着脱可能に内側の構成要素に連結される外側の構成要素を有し、内側の構成要素および内側の構成要素に連結される外側の構成要素間において、１つまたはそれ以上の物体を受容するために形成された空洞を有し、空洞は、互いに並列の２つの主表面からなる。そして空洞の２つの主表面は、カバーの閉鎖面に対して０°＜α＜９０°である。‘閉鎖面’という用語は、カップタイプの仕切り部の開口面に対応する。また、上記の説明は類似した方法に適用される。
【００１４】
上記の実施例が飲用カップに関する一方で、他の容器もまた本発明の特徴を備えて提供されうると理解される。たとえば、飲用ストロー開口部の代わりに、アレンジされた注ぎ口の開口部が考えられる。そして、容器の内容物が液体だけでなく、固形の材料（注入されることができる）であることも可能である。飲用ストロー開口部の代わりに、食事ツール、例えばスプーンまたはフォークによって、容器の内容物が除去される吐出し口がまた提供されることも可能である。このような吐出し口は飲用ストロー開口部より大きい直径を有しなければならないので、本発明に代表される構造の形状は特に都合が良い。
【００１５】
本発明による容器は必ずしもその必要はないが典型的には使い捨ての製品である。すなわち、それらは使用後、廃棄される。仕切り部は、特にコート紙またはボール紙から作られることが考えられる。カバーおよびその構成要素は、典型的に食品と相性の良い合成ポリマーから作られる。
【００１６】
同一の一般概念（物体を傾けた配置）に基づく本発明の変種は、開口部を有するカップタイプの仕切り部および前記開口部に配置されるカバーからなる容器に関し、前記カバーは、内側の構成要素および着脱可能に内側の構成要素に連結される外側の構成要素を有し、前記内側の構成要素および内側の構成要素に連結される前記外側の構成要素間には１つまたはそれ以上の物体を受容するために形成されている空洞を有し、ここにおいて、内側の構成要素または外側の構成要素は、好ましくは本質的にディスク型または平面の物体のための支持面からなり、開口部によって形成される開口面に対し支持面が０°＜α＜９０°であることにおいて特徴付けられる。
【００１７】
ここにおいてまた、３°＜α＜７０°、好ましくは１０°＜α＜５０°、最も好ましくは、１０°＜α＜３０°が適用され、ここにおいて、上記の制限は、任意の方法で互いに結合されることが考えられる。容器は、飲料容器であってもよい。開口部は本質的に円形の横断面を有し、および／または、空洞は開口部に並列の断面平面に関して本質的に円形の横断面を有する。支持面は、物体の領域の少なくとも１０％、好ましくは少なくとも３０％、より好ましくは少なくとも５０％、特に少なくとも７０％を支持するように、および／または、支持面は本質的に平面であるように形成される。開口部の軸Ａおよび空洞の軸Ｂは、Ｘ＝１ｍｍから２０ｍｍ、特に３ｍｍから１０ｍｍで互いに関連して放射状にオフセットされ、互いに関連して角度αで存在する。内側の構成要素および外側の構成要素は、カバーを備えた仕切り部に飲用のストローを導入するための整列配置された飲用ストロー開口部を各々備え、飲用ストロー開口部は、空洞の外側に配置される。ディスクタイプの物体、特に円形または形づくられたＣＤ、好ましくはミニＣＤが空洞に受容される。ディスクタイプの物体の外径は、空洞の内径と同一である、またはそれより０．０１ｍｍから５ｍｍ小さいと考えられる。ディスクタイプの物体は中央の孔を含み、支持面は、ディスクタイプの物体上に置くか、またはくっつけるような本質的に円柱状の台からなる。台の軸Ｂは、開口部の軸Ａに並列であるか、または軸Ａに対しαの角度で存在することが考えられる。内側の構成要素の飲用ストロー開口部は、仕切り部に及んでいる内側の構成要素の凹部に位置してもよい。外側の構成要素は、飲用ストロー開口部より上に位置し本質的に軸Ａに平行にひろがる凹部領域からなる可能性がある。
【００１８】
その範囲において、本発明は上述した変種の容器のためのカバーをさらに備え、ここにおいて、カバーは、内側の構成要素および着脱可能に内側の構成要素に連結される外側の構成要素を有し、内側の構成要素および内側の構成要素に連結される外側の構成要素間において、１つまたはそれ以上の物体を受容するために空洞が形成される。ここにおいて、内側の構成要素および／または外側の構成要素は物体の支持面からなり、そして、支持面は、閉鎖面に対して０°＜α＜９０°である。
【発明を実施するための最良の形態】
【００１９】
以下では本発明は、一実施例のみを表す図面に関してさらに詳細に説明される。
【００２０】
開口部３を有するカップタイプの仕切り部２を有する容器１を、図１に見ることができる。飲料がカップタイプの仕切り部２において提供されるところは、示されていない。カバー４は、開口部３上に配置される。カバー４は、内側の構成要素５と着脱可能に内側の構成要素５に連結される外側の構成要素６とを備える。内側の構成要素５および内側の構成要素５に連結される外側の構成要素６間において、ＣＤ８を受容するために空洞７が形成される。内側の構成要素５および外側の構成要素６は、カバー４を備えて提供される仕切り部２に飲用ストロー１４を導入するための整列配置された飲用ストロー開口部１２、１３を各々備える。ここで、飲用ストロー開口部１２、１３が空洞７の外側にあることが見て取れる。表示において、挿入されたＣＤ８は、空洞７の内径よりほんの僅かに小さい外径を有することが、さらに示される。
【００２１】
図９は、上記の通りに実施例の変種を示す。カバー４は、ここにおいて３つの構成要素からなり、内側の構成要素５は、２つの部分的な構成要素５ａと５ｂとを備える。部分的な構成要素５ａは、開口部３をカバーする。物体８のための空洞７は、部分的な構成要素５ｂと外側の構成要素６との間に位置する。この変種の好ましい実施例において、部分的な構成要素５ｂおよび外側の構成要素６は、形状および大きさにおいて同一であると考えられる（これらの構成要素を区別するため図９においては明らかにされていない）。部分的な構成要素５ｂおよび外側の構成要素６は、それぞれの台１６ａおよび１６ｂ、および／または、それぞれの端１９ａおよび１９ｂを経て（摩擦またはスナップ方式によって）互いに取り付けられる。部分的な構成要素５ｂは、それぞれの台１６ａおよび１６ｃを経て（摩擦またはスナップ方式によって）交替で部分的な構成要素５ａに取り付けられる。この変種は、組み立てプロセスにおける利点を有する。部分的な構成要素５ａおよび外側の構成要素６を囲まれた物体８と共に予め組み立てることは可能である。飲料が顧客に手渡される場合、最初に飲料は仕切り部２に満たされる。それから、部分的な構成要素５ａが仕切り部２上に配置される。最後に、部分的な構成要素５ｂ、物体８、および外側の構成要素６から構成される予め組み立てられた部分が、部分的な構成要素５ａへ押圧され、ここにおいて、その部分は顧客によって要請される物体により選択される。これとは別に、他の変種に関するすべての概論は、同様に適用される。
【００２２】
図２において、本発明の幾何学的条件が概略的に示され、カバー４の空洞７が２つの主平面９、１０を有することが分かる。これらはここで空洞７の円柱前表面である。さらに概略的に示されているのは、開口部３によって形成された開口面１１である。主表面９、１０は、開口面１１に対し角度αである。図１および図２の比較によって、カバー４が上部に配置される場合、（円形の）開口部３の軸Ａおよび（円柱状の）空洞７の軸Ｂは、距離Ｘで互いに関連して放射状にオフセットされることをさらに見ることができる。このことによってのみ、容易に図１において認識できるように、挿入された（ミニ）ＣＤの大きさのために比較的大きな空洞７の外側における飲用ストロー開口部１２、１３の配置が可能になる。
【００２３】
図３において、内側の構成要素５および外側の構成要素６は、突起１５によって互いに連結されることが示される。これは、カバーの簡略化された取付けおよび単純化されたアセンブリに関して特に都合が良いが、しかしながら本発明のために本質的に必要でない。
【００２４】
図４は挿入されたＣＤ８を有する内側の構成要素５の上面図を示す。図１、図２および図４の比較から、そこにおいて飲用ストロー開口部１３が提供されるその平面は開口部３の開口面１１に並列であることがわかる。それと対照的に、空洞７が埋め込まれている内側の構成要素５の部分的な表面は、開口面１１に対し角度αである。この図の見解から注意すべきなのは、空洞７および物体８は、単純性のために円として描画されるが、一方でこれらの部材が実際には、傾斜角αのために楕円として描画されるべきであることが明らかであることである。
【００２５】
図５は、本発明の容器１のさらなる変種を示す。容器１は、開口部３を有しかつ前記開口部３上に配置されるカバー４からなるカップタイプの仕切り部２からなり、ここにおいて、前記カバー４は、内側の構成要素５および着脱可能に前記内側の構成要素５に連結される外側の構成要素６を有し、前記内側の構成要素５と内側の構成要素５に連結される前記外側の構成要素６との間に１つの物体８またはそれ以上の物体８を受容するために形成される空洞７を有する。内側の構成要素５または外側の構成要素６は、好ましくは本質的にディスク型または平面の物体８のための支持面１０ａからなり、そして、支持面１０ａは、開口部３によって形成された開口面１１に対して０°＜α＜９０°である。
【００２６】
概して、第１の変種に関する同じ注釈は以下の相違点または追加に適用される。開口部３は、本質的に円形の横断面を有し、および／または、開口部３に並列な断面に関して、空洞７は本質的に円形の横断面を有する。支持面１０ａは、物体３の領域の少なくとも１０％、好ましくは少なくとも３０％、最も好ましくは５０％、特に少なくとも７０％を支持するように、および／または、支持面１０ａは、本質的に平面であるように形成されると考えられる。開口部３の軸Ａおよびディスク形の物体８の中央軸である空洞７の並列の軸Ｂは、Ｘ＝１ｍｍから２０ｍｍ、特に３ｍｍから１０ｍｍで、互いに関連して放射状にオフセットされ、互いに関連して角度αであると考えられる（カバー４が仕切り部２上に配置される場合）。
【００２７】
ディスクタイプの物体８は、中央の孔１５を有し、ここにおいて、支持面１０ａは好ましくは、ディスクタイプの物体８上に置かれるかまたはくっつけるために本質的に円柱状の台１６からなる。台１６の軸Ｂ'は、Ｘにより変動し、および／または、開口部（３）の軸Ａと並列、または、軸Ａに対し角度αである。
【００２８】
内側の構成要素５の飲用ストロー開口部１３は、仕切り部（２）部分に及んでいる内側の構成要素５の凹部１７に位置してもよい。外側の構成要素６は、飲用ストロー開口部１３より上に位置し本質的に軸Ａに平行にひろがる凹部領域１８からを含む。凹部領域１８は、軸Ａに対し４５°未満の角度、特に３０°未満、好ましくは２０°未満での飲用のストロー１４の飲用ストロー開口部１２、１３への挿入を可能にする。
【００２９】
カバー４は、内側の構成要素５、および、前記内側の構成要素５に着脱可能に連結される外側の構成要素６を有し、前記内側の構成要素５およびその内側の構成要素５に連結される前記外側の構成要素６間に、空洞７が１つまたはそれ以上の物体を受容するために形成され、ここにおいて、内側の構成要素５および／または外側の構成要素６は、物体８のための支持面１０ａからなり、そして支持面１０ａは閉鎖面１１に対し０°＜α＜９０°であることは明らかである。
【００３０】
概して、カバー４全体でまたは物体８を含むその構成要素の集まりは、例えば図９について述べたように、予め組み立てられていてもよいことに注意する。さらに一般的に、構成要素、予め組み立てられた構成要素の集まり、または予め組み立てられたカバー４は、積み重ねられることを許容するように設計されることが考えられる。
【図面の簡単な説明】
【００３１】
【図１】本発明の容器の断面表示である。
【図２】構造の形状の図表の表示である。
【図３】本発明のカバーの横方向の外側の概略図である。
【図４】挿入されたＣＤを有する本発明のカバーの内側の構成要素の上面図である。
【図５】本発明の容器の変種の断面表示である。
【図６】図５の変種による構造の形状の概略の表示である。
【図７】図５の変種によるカバーの横方向の外側の概略図である。
【図８】図５の変種の上面図である。
【図９】本発明の容器のさらなる変種の断面表示である。
【図１】
2007508212.tif 000003
【図２】
2007508212.tif 000004
【図３】
2007508212.tif 000005
【図４】
2007508212.tif 000006
【図５】
2007508212.tif 000007
【図６】
2007508212.tif 000008
【図７】
2007508212.tif 000009
【図８】
2007508212.tif 000010
【図９】
2007508212.tif 000011
【国際調査報告】
2007508212.tif 000012
2007508212.tif 000013
2007508212.tif 000014
2007508212.tif 000015
2007508212.tif 000016
2007508212.tif 000017